(57)【特許請求の範囲】
【請求項１】
複数のチャンネルを有するコンテンツについての原信号に対して、電子透かし処理により、少なくともビデオチャンネルとオーディオチャンネルとのそれぞれに同一の複製制御情報を含む著作権情報を互いに異なる方式で重畳した重畳信号が記録された記録媒体から上記重畳信号を読み出す読出し手段と、
読み出した上記重畳信号からビデオチャンネルとオーディオチャンネルとの再生信号を生成する再生手段と、
上記再生手段により生成された再生信号を外部に出力するためのスイッチと、
上記読出し手段により読み出された上記ビデオチャンネルの重畳信号に含まれる複製制御情報と、上記読出し手段により読み出されたオーディオチャンネルの重畳信号に含まれる複製制御情報とが相互に同一であるかを判定する複製制御情報判定手段と、
上記複製制御情報判定手段によりビデオチャンネルの複製制御情報とオーディオチャンネルの複製制御情報とが相互に同一であると判定されたとき、当該複製制御情報と上記記録媒体のメディアタイプとの組み合わせに基づいて、上記記録媒体が違法コピーであるかを判定する違法コピー判定手段と、
上記複製制御情報判定手段によりビデオチャンネルの重畳信号に含まれる複製制御情報と、オーディオチャンネルの重畳信号に含まれる複製制御情報とが相異なっているか、又は上記違法コピー判定手段により上記記録媒体が違法コピーであると判定されたとき、上記スイッチをオフとなるように制御する制御手段と
を備えることを特徴とする再生装置。
【請求項２】
複数のチャンネルを有するコンテンツについての原信号に対して、電子透かし処理により、少なくともビデオチャンネルとオーディオチャンネルとのそれぞれに同一の複製制御情報を含む著作権情報を互いに異なる方式で重畳した重畳信号が記録された記録媒体から上記重畳信号を読み出し、
読み出した上記重畳信号からビデオチャンネルとオーディオチャンネルとの再生信号を生成し、
上記ビデオチャンネルの重畳信号に含まれる複製制御情報と、上記読み出されたオーディオチャンネルの重畳信号に含まれる複製制御情報とが相互に同一であるかを判定し、
上記判定の結果、ビデオチャンネルの複製制御情報とオーディオチャンネルの複製制御情報とが相互に同一であると判定されたとき、当該複製制御情報と上記記録媒体のメディアタイプとの組み合わせに基づいて、上記記録媒体が違法コピーであるかを判定し、
上記ビデオチャンネルの重畳信号に含まれる複製制御情報と、上記オーディオチャンネルの重畳信号に含まれる複製制御情報とが相異なっているか、又は上記ビデオチャンネルの重畳信号に含まれる複製制御情報と、上記オーディオチャンネルの重畳信号に含まれる複製制御情報とは相互に同一であるが、上記記録媒体が違法コピーであると判定されたとき、上記再生信号を外部に出力するスイッチをオフとなるように制御すること
を特徴とする再生方法。
【請求項３】
複数のチャンネルを有するコンテンツについての原信号に対して、電子透かし処理により、少なくともビデオチャンネルとオーディオチャンネルのそれぞれに同一の複製制御情報を含む著作権情報を互いに異なる方式で重畳した重畳信号を記録したこと
を特徴とする記録媒体。
【請求項４】
複数のチャンネルを有するコンテンツについての原信号に対して、電子透かし処理により、少なくとも２以上のチャンネルに同一のコンテンツであることを示すＩＤ情報を重畳した重畳信号を記録したこと
を特徴とする記録媒体。
【請求項５】
少なくともビデオチャンネルとオーディオチャンネルのそれぞれに同一のＩＤ情報を重畳した重畳信号を記録したこと
特徴とする請求項４記載の記録媒体。
【請求項６】
少なくとも２以上のチャンネルに同一の複製制御情報を含む著作権情報を重畳した重畳信号を記録したこと
を特徴とする請求項４記載の記録媒体。
【請求項７】
複数のチャンネルを有するコンテンツについての原信号に対して、電子透かし処理により、少なくとも２以上のチャンネルに同一のコンテンツであることを示すＩＤ情報を重畳した重畳信号が記録された記録媒体から上記重畳信号を読み出す読出し手段と、
読み出した重畳信号から各チャンネルの再生信号を生成する再生手段と、
生成した再生信号から各チャンネルの上記ＩＤ情報を検出するＩＤ検出手段と、
上記ＩＤ検出手段の検出した上記ＩＤ情報が上記２以上のチャンネルについて相互に同一である場合に各チャンネルの再生信号を出力する制御手段と
を備えることを特徴とする再生装置。
【請求項８】
上記読出し手段は、電子透かし処理により、少なくともビデオチャンネルとオーディオチャンネルのそれぞれに同一のコンテンツであることを示すＩＤ情報を重畳した重畳信号が記録された記録媒体から当該重畳信号を読み出す
ことを特徴とする請求項７記載の再生装置。
【請求項９】
複数のチャンネルを有するコンテンツについての原信号に対して、電子透かし処理により、少なくとも２以上のチャンネルに同一のコンテンツであることを示すＩＤ情報を重畳した重畳信号が記録された記録媒体から上記重畳信号を読み出し、
読み出した重畳信号から各チャンネルの再生信号を生成し、
生成した再生信号から各チャンネルの上記ＩＤ情報を検出し、
検出したＩＤ情報が上記２以上のチャンネルについて相互に同一である場合に各チャンネルの再生信号の出力を制御すること
を特徴とする再生方法。
【請求項１０】
電子透かし処理により、少なくともビデオチャンネルとオーディオチャンネルのそれぞれに同一のコンテンツであることを示すＩＤ情報を重畳した重畳信号が記録された記録媒体から当該重畳信号を読み出すこと
を特徴とする請求項９記載の再生方法。
【請求項１１】
複数のチャンネルを有するコンテンツについての原信号に対して、電子透かし処理により、少なくともビデオチャンネルとオーディオチャンネルとのそれぞれに同一の、第１の複製制御情報及び第２の複製制御情報を含む著作権情報を互いに異なる方式で重畳した重畳信号を入力する入力手段と、
入力した上記重畳信号からビデオチャンネルとオーディオチャンネルとの再生信号を生成する再生手段と、
上記再生手段により生成された再生信号を外部に出力するためのスイッチと、
上記入力手段により入力した上記ビデオチャンネルの重畳信号に含まれる第１の複製制御情報と、上記入力手段により入力したオーディオチャンネルの重畳信号に含まれる第１の複製制御情報とが相互に同一であるかを判定する第１の複製制御情報判定手段と、
上記第１の複製制御情報判定手段によりビデオチャンネルの第１の複製制御情報とオーディオチャンネルの第１の複製制御情報とが相互に同一であると判定されたとき、上記ビデオチャンネルの重畳信号に含まれる第２の複製制御情報と、上記入力手段により入力したオーディオチャンネルの重畳信号に含まれる第２の複製制御情報とが相互に同一であるかを判定する第２の複製制御情報判定手段と、
上記第２の複製制御情報判定手段により上記第２の複製制御情報が相互に同一であると判定されたとき、上記第１の複製制御情報と上記第２の複製制御情報との組み合わせから、
上記コンテンツが違法コピーであるかを判定する違法コピー判定手段と、
上記第１の複製制御情報判定手段によりビデオチャンネルの重畳信号に含まれる第１の複製制御情報と、オーディオチャンネルの重畳信号に含まれる第１の複製制御情報とが相異なっているか、もしくは上記第２の複製制御情報判定手段により上記第２の複製制御情報が相異なっていると判定されたとき、又は上記違法コピー判定手段により上記コンテンツが違法コピーであると判定されたときに上記スイッチをオフとなるように制御する制御手段と
を備えることを特徴とする信号処理装置。
【請求項１２】
上記第１の複製制御情報は、ＣＧＭＳ方式におけるＣＧＭＳ−Ｄ信号に関する情報であり、
上記第２の複製制御情報は、ウオータマークであること
を特徴とする請求項１１記載の信号処理装置。
【請求項１３】
上記第１の複製制御情報は、ウオータマークであり、
上記第２の複製制御情報は、ＣＧＭＳ方式におけるＣＧＭＳ−Ｄ信号に関する情報であること
を特徴とする請求項１１記載の信号処理装置。
【請求項１４】
複数のチャンネルを有するコンテンツについての原信号に対して、電子透かし処理により、少なくともビデオチャンネルとオーディオチャンネルとのそれぞれに同一の、第１の複製制御情報及び第２の複製制御情報を含む著作権情報を互いに異なる方式で重畳した重畳信号を入力し、
入力した上記重畳信号からビデオチャンネルとオーディオチャンネルとの再生信号を生成し、
上記ビデオチャンネルの重畳信号に含まれる第１の複製制御情報と、上記入力したオーディオチャンネルの重畳信号に含まれる第１の複製制御情報とが相互に同一であるかを判定し、
この判定の結果、ビデオチャンネルの第１の複製制御情報とオーディオチャンネルの第１の複製制御情報とが相互に同一であると判定されたとき、上記ビデオチャンネルの重畳信号に含まれる第２の複製制御情報と、上記入力したオーディオチャンネルの重畳信号に含まれる第２の複製制御情報とが相互に同一であるかを判定し、
この判定の結果、上記第２の複製制御情報が相互に同一であると判定されたとき、上記第１の複製制御情報と上記第２の複製制御情報との組み合わせから、上記コンテンツが違法コピーであるかを判定し、
上記ビデオチャンネルの重畳信号に含まれる第１の複製制御情報と、上記オーディオチャンネルの重畳信号に含まれる第１の複製制御情報とが相異なっているか、もしくは上記ビデオチャンネルの重畳信号に含まれる第２の複製制御情報と、上記オーディオチャンネルの重畳信号に含まれる第２の複製制御情報とが相異なっているとき、又は上記コンテンツが違法コピーであると判定されたときに上記再生信号を外部に出力するスイッチをオフとなるように制御すること
を特徴とする信号処理方法。
【請求項１５】
上記第１の複製制御情報は、ＣＧＭＳ方式におけるＣＧＭＳ−Ｄ信号に関する情報であり、
上記第２の複製制御情報は、ウォータマークであること
を特徴とする請求項１４記載の信号処理方法。
【請求項１６】
上記第１の複製制御情報は、ウォータマークであり、
上記第２の複製制御情報は、ＣＧＭＳ方式におけるＣＧＭＳ−Ｄ信号に関する情報であること
を特徴とする請求項１４記載の信号処理方法。
【請求項１７】
複数のチャンネルを有するコンテンツについての原信号に対して、電子透かし処理により、少なくとも２以上のチャンネルに同一のコンテンツであることを示すＩＤ情報を重畳した重畳信号を入力する入力手段と、
入力した重畳信号から各チャンネルの再生信号を生成する再生手段と、
生成した再生信号から上記ＩＤ情報を検出するＩＤ検出手段と、
上記ＩＤ検出手段の検出したＩＤ情報が上記２以上のチャンネルについて相互に同一である場合に各チャンネルの再生信号を出力する制御手段と
を備えることを特徴とする信号処理装置。
【請求項１８】
上記入力手段は、電子透かし処理により、少なくともビデオチャンネルとオーディオチャンネルのそれぞれに同一のコンテンツであることを示すＩＤ情報を重畳した重畳信号を入力する
ことを特徴とする請求項１７記載の信号処理装置。
【請求項１９】
複数のチャンネルを有するコンテンツについての原信号に対して、電子透かし処理により、少なくとも２以上のチャンネルに同一のコンテンツであることを示すＩＤ情報を重畳した重畳信号を入力し、
入力した重畳信号から各チャンネルの再生信号を生成し、
生成した上記再生信号から上記ＩＤ情報を検出し、
検出したＩＤ情報が上記２以上のチャンネルについて相互に同一である場合に各チャンネルの再生信号を出力すること
を特徴とする信号処理方法。
【請求項２０】
電子透かし処理により、少なくともビデオチャンネルとオーディオチャンネルのそれぞれに同一のコンテンツであることを示すＩＤ情報を重畳した重畳信号を入力すること
を特徴とする請求項１９記載の信号処理方法。
【発明の詳細な説明】
【０００１】
【発明の属する技術分野】
本発明は、再生装置及び方法、記録媒体、並びに信号処理装置及び信号処理方法に関し、詳しくは違法コピー、海賊行為等に対する再生制限の強化が図られた再生装置等に関する。
【０００２】
【従来の技術】
インターネット、ＤＶＤ（Digital Video Disc）、ディジタル衛星放送等の普及により、所謂ディジタル著作物についての不正なコピーによる著作権の侵害が問題となっている。
【０００３】
ディジタル著作物のコピーについては、例えばＣＧＭＳ（Copy Generation Management System）等の方式でコピーの世代制御を行うことにより対応が図られていたが、このＣＧＭＳ方式によるコピー制御信号は容易に改変されやすいという問題があった。また、不正コピーやいわゆる海賊行為の防止の徹底を図るためには、記録時における記録（コピー）制限だけでなく、再生時における再生制限をも行うことが必要となる。
【０００４】
【発明が解決しようとする課題】
これに対して、近年、ディジタルデータに何らかの情報を隠しもたせる電子透かし処理と呼ばれる技術が注目を集めている。この電子透かし処理は、所謂ウォーターマーク（Water Mark）と呼ばれる透かし情報を、上記ディジタルデータに存在する人間の知覚上の重要でない部分に、雑音として埋め込むものである。
【０００５】
この電子透かし処理によれば、埋め込んだウォーターマークが除去しにくく、またこのウォーターマークの検出はディジタルインタフェース上でもアナログインタフェース上でもできるので、上記ウォーターマークをコピーの世代制限に関するコピー制御情報として利用することが可能である。
【０００６】
表１に、ディスク状記録媒体のメディアタイプと上述したＣＧＭＳ方式におけるＣＧＭＳ−Ｄ（Copy Generation Management System-Digital）信号、及びウォーターマークをコピー制御情報として利用した場合のウォーターマーク情報との関係を示す。
【０００７】
【表１】
0004038851.tif 000002
【０００８】
ここで、メディアタイプについては、読出し専用のＲｅａｄ Ｏｎｌｙ Ｄｉｓｃ（以下、ＲＯＭディスクという。）と書き込みや書き換えが可能なＲｅｗｒｉｔａｂｌｅ Ｄｉｓｃ（以下、ＲＡＭディスクという。）とに分けられる。
【０００９】
また、ＣＧＭＳ−Ｄ信号については、（０，０）と、（１，１）と（１，０）の３種類の信号があり、それぞれ２ビットで表示される。ここで、（０，０）がコピー制限なしを、（１，１）がコピー禁止を、（１，０）が１世代に限りコピーしてよいこと、をそれぞれ示している。
【００１０】
さらに、ウォーターマーク情報については、「ｎｏｎ−ｍａｒｋｅｄ」がいかなるマークも挿入されていない状態を示し、上記いずれのメディアタイプについても、かつＣＧＭＳ−Ｄの上記（０，０）、（１，１）、及び（１，０）のいずれについてもこのｎｏｎ−ｍａｒｋｅｄの状態であるディスクが存在する。また、ウォーターマーク情報は、ＣＧＭＳ−Ｄの上記（０，０）の状態について表示する場合には「ｃｏｐｙ−ｆｒｅｅ」とし、上記（１，０）の状態について表示する場合には「ｏｎｅ−ｃｏｐｙ」とする。
【００１１】
さらに、ウォーターマークは、ＣＧＭＳ−Ｄの上記（１，１）の状態について表示する場合には、ＲＯＭディスクについては「ｎｅｖｅｒ−ｃｏｐｙ」として、ＲＡＭディスクについては「ｎｏ−ｍｏｒｅ−ｃｏｐｙ」とする。すなわち、「ｎｅｖｅｒ−ｃｏｐｙ」のウォーターマークは読み出し専用のＲＯＭディスクについてのみ使用し、「ｎｏ−ｍｏｒｅ−ｃｏｐｙ」のウォーターマークは記録可能なＲＡＭディスクについてのみ使用する。
【００１２】
なお、ＲＡＭディスクについての「ｎｏ−ｍｏｒｅ−ｃｏｐｙ」は、このディスクが上記「ｏｎｅ−ｃｏｐｙ」のＲＯＭディスクあるいはＲＡＭディスクからコピーした状態であることを示している。すなわち、「ｏｎｅ−ｃｏｐｙ」のディスクからＲＡＭディスクにコピーする場合には、この「ｏｎｅ−ｃｏｐｙ」のウォーターマークが「ｎｏ−ｍｏｒｅ−ｃｏｐｙ」に書き換えられることを意味している。
【００１３】
次に、違法コピーによるディスクの例について表２に示す。
【００１４】
【表２】
0004038851.tif 000003
【００１５】
この表２に示すように、ＲＯＭディスクから「ｎｏ−ｍｏｒｅ−ｃｏｐｙ」のウォーターマークが検出された場合には、この「ｎｏ−ｍｏｒｅ−ｃｏｐｙ」がＲＡＭディスクについてのみ使用されるウォーターマークであることから、このディスクは違法コピーディスクということになる。例えば「ｎｏ−ｍｏｒｅ−ｃｏｐｙ」のウォーターマークが付されたＲＡＭディスクをそのままスタンピングして量産したいわゆる海賊版のディスクが該当する。
【００１６】
また、ＲＡＭディスクから「ｎｅｖｅｒ−ｃｏｐｙ」のウォーターマークが検出された場合には、この「ｎｅｖｅｒ−ｃｏｐｙ」のウォーターマークがＲＯＭディスクについてのみ使用されるウォーターマークであることから、このディスクは違法コピーディスクということになる。
【００１７】
そして、このようなコピー制御情報としてのウォーターマークを用いて違法コピーによるＤＶＤディスクの再生制限を行うものとして、図４に示すようなＤＶＤ再生装置１００が提案されていた。
【００１８】
このＤＶＤ再生装置１００は、例えばパーソナルコンピュータのシステムとして好適に用いられるものであり、ＤＶＤ１０１に記録された信号を読み出すＤＶＤドライバ１０２と、ＤＶＤドライバ１０２から読み出された信号について再生処理を行う再生処理回路１０３とが専用のケーブルあるいはバスで接続されて構成される。
【００１９】
ＤＶＤ１０１には、そのデータ領域に、動画や静止画についてのビデオ信号と音楽や音声等についてのオーディオ信号がＭＰＥＧ（moving picture coding experts group）方式で圧縮されたＭＰＥＧデータとして記録されている。そして、このＤＶＤ１０１では、上記ビデオ信号については、上述したウォーターマークについての情報が電子透かし処理により重畳されたＭＰＥＧデータとして記録されている。
【００２０】
さらに、ＤＶＤ１０１には、サブコード情報としてメディアタイプ情報と上述したＣＧＭＳ−Ｄ信号が記録されている。ここで、メディアタイプ情報とは、当該ディスクが読み出し専用のＲＯＭディスクか、あるいは記録可能なＲＡＭディスクかについて示す情報である。また、ＣＧＭＳ−Ｄ信号は、上記ＭＰＥＧデータ中に挿入されており、ビデオ信号及びオーディオ信号の双方から検出できるようになっている。
【００２１】
ＤＶＤドライバ１０２は、図示しない光ピックアップ等を備えてなり、ＤＶＤ１０１から上述したＭＰＥＧデータ及びメディアタイプ情報をビットストリーム信号として読み出して、再生処理回路１０３に供給する。このビットストリーム信号は、上記ＭＰＥＧデータ及びメディアタイプ情報がＣＳＳ（Contents Scramble System）によるスクランブルをかけられた状態で再生処理回路１０３に伝送される。
【００２２】
ここで、再生処理回路１０３は、ＣＳＳデコーダ１０４と、ＭＰＥＧデコード部１０５と、メディアタイプデコーダ１０６と、ウォーターマーク（ＷＭ）検出／リエンコード部１０７と、出力制御部１０８と、スイッチ１１１，１１２等が備えられており、これら各ブロックがいわゆるＰＣカード等に内蔵されて構成される。
【００２３】
そして、ビットストリーム信号が入力された再生処理回路１０３では、ＣＳＳデコーダ１０４が暗号鍵を用いて所定の認証処理を行う。ここで、正しく認証されなかった場合には、上記ＣＳＳのスクランブルが解読されず、これ以降の再生処理が行われないことになる。そして、ＣＳＳデコーダ１０４は、暗号鍵を用いた上記認証が正しく行われた場合には、ＣＳＳのスクランブルをデコードし、上記ＭＰＥＧデータ，メディアタイプ情報を取り出して、それぞれＭＰＥＧデコード部１０５，メディアタイプデコーダ１０６に供給する。
【００２４】
ＭＰＥＧデコード部１０５は、入力したＭＰＥＧデータをデコードして、オーディオデータとウォーターマークが重畳されたビデオデータとに分離する。ＭＰＥＧデコード部１０５は、オーディオデータについてはＤ／Ａ変換等の処理を行った後にスイッチ１１１に出力し、ウォーターマークが重畳されたビデオデータ（以下、重畳ビデオデータという。）についてはＷＭ検出／リエンコード部１０７に出力する。
【００２５】
ＷＭ検出／リエンコード部１０７は、この重畳ビデオデータからウォーターマークを検出し、上述した「ｎｏｎ−ｍａｒｋｅｄ」、「ｃｏｐｙ−ｆｒｅｅ」、「ｎｅｖｅｒ−ｃｏｐｙ」、「ｎｏ−ｍｏｒｅ−ｃｏｐｙ」、及び「ｏｎｅ−ｃｏｐｙ」のいずれであるかについての情報を出力制御部１０８に出力する。また、ＷＭ検出／リエンコード部１０７は、上述のようにウォーターマークを検出した結果、このウォーターマークが「ｏｎｅ−ｃｏｐｙ」であった場合に、このウォーターマークを「ｎｏ−ｍｏｒｅ−ｃｏｐｙ」とするように上記ビデオデータに対するリエンコード処理を行い、処理後の信号をＤ／Ａ変換してスイッチ１１２に供給する。なお、このウォーターマークが「ｏｎｅ−ｃｏｐｙ」以外の場合には、ＷＭ検出／リエンコード部１０７は、リエンコード処理を行わずに、重畳ビデオデータをＤ／Ａ変換してスイッチ１１２に供給する。
【００２６】
一方、メディアタイプデコーダ１０６は、上記メディアタイプ情報をデコードし、再生するＤＶＤ１０１がＲＯＭディスクであるかＲＡＭディスクであるかについての情報を出力制御部１０８に出力する。
【００２７】
出力制御部１０８は、メディアタイプデコーダ１０６及びＷＭ検出／リエンコード部１０７から入力される各情報に基づいて、スイッチ１１１，１１２のＯＮ／ＯＦＦを制御する。具体的には、出力制御部１０８は、メディアタイプデコーダ１０６及びＷＭ検出／リエンコード部１０７からの各情報に基づき、ＤＶＤ１０１のメディアタイプが「ＲＯＭディスク」でウォーターマークが「ｎｏ−ｍｏｒｅ−ｃｏｐｙ」の場合、またはこのメディアタイプが「ＲＡＭディスク」でウォーターマークが「ｎｅｖｅｒ−ｃｏｐｙ」の場合に、違法コピーとみなして各スイッチ１１１，１１２をＯＦＦにするよう制御して、オーディオ信号及び重畳ビデオ信号を出力しないようにする。
【００２８】
しかしながら、このようなＤＶＤ再生装置１００においては、以下のような問題点が指摘されていた。すなわち、ウォーターマークの改変は絶対に不可能なものではないため、例えばＤＶＤドライバ１０２の再生信号をバスを介して取り出してウォーターマークの情報を改変することにより、このウォーターマークが「ｎｏｎ−ｍａｒｋｅｄ」の状態にされた場合に、ＤＶＤ再生装置１００においては、その改変を検知する手段がないという問題があった。
【００２９】
また、ＤＶＤ再生装置１００においては、上述のようにウォーターマークの情報しか参照していないので、上記海賊行為による改変についての攻撃に対して弱く、違法コピーによるＤＶＤ１０１がそのまま再生されてしまう虞が強いという問題点があった。
【００３０】
さらに、ＤＶＤ再生装置１００においては、出力されるオーディオ信号にはウォーターマークが重畳されていないので、例えば映画のコンテンツが記録されたＤＶＤ１０１を再生する場合には、サウンドトラックの違法コピーが行われたり、権利者の意図に反したオーディオアフレコによってＢＧＶソフトが作成される虞があった。
【００３１】
本発明は、このような実情に鑑みて提案されたものであって、違法コピーや海賊行為等によるコンテンツ改変に対して信頼性の高い再生制限を可能とした再生装置及び方法、記録媒体、並びに信号処理装置及び信号処理方法を提供することを目的とする。
【００３２】
【課題を解決するための手段】
本発明に係る再生装置は、上記課題を解決するために、複数のチャンネルを有するコンテンツについての原信号に対して、電子透かし処理により、少なくともビデオチャンネルとオーディオチャンネルとのそれぞれに同一の複製制御情報を含む著作権情報を互いに異なる方式で重畳した重畳信号が記録された記録媒体から上記重畳信号を読み出す読出し手段と、読み出した上記重畳信号からビデオチャンネルとオーディオチャンネルとの再生信号を生成する再生手段と、上記再生手段により生成された再生信号を外部に出力するためのスイッチと、上記読出し手段により読み出された上記ビデオチャンネルの重畳信号に含まれる複製制御情報と、上記読出し手段により読み出されたオーディオチャンネルの重畳信号に含まれる複製制御情報とが相互に同一であるかを判定する複製制御情報判定手段と、
上記複製制御情報判定手段によりビデオチャンネルの複製制御情報とオーディオチャンネルの複製制御情報とが相互に同一であると判定されたとき、当該複製制御情報と上記記録媒体のメディアタイプとの組み合わせに基づいて、上記記録媒体が違法コピーであるかを判定する違法コピー判定手段と、上記複製制御情報判定手段によりビデオチャンネルの重畳信号に含まれる複製制御情報と、オーディオチャンネルの重畳信号に含まれる複製制御情報とが相異なっているか、又は上記違法コピー判定手段により上記記録媒体が違法コピーであると判定されたとき、上記スイッチをオフとなるように制御する制御手段とを備える。
【００３３】
再生装置においては、制御手段が、著作権情報検出手段の検出した著作権情報が２以上のチャンネルについて相互に同一である場合に、各チャンネルの再生信号を出力する。
【００３４】
本発明に係る再生方法は、上記課題を解決するため、複数のチャンネルを有するコンテンツについての原信号に対して、電子透かし処理により、少なくともビデオチャンネルとオーディオチャンネルとのそれぞれに同一の複製制御情報を含む著作権情報を互いに異なる方式で重畳した重畳信号が記録された記録媒体から上記重畳信号を読み出し、読み出した上記重畳信号からビデオチャンネルとオーディオチャンネルとの再生信号を生成し、上記ビデオチャンネルの重畳信号に含まれる複製制御情報と、上記読み出されたオーディオチャンネルの重畳信号に含まれる複製制御情報とが相互に同一であるかを判定し、上記判定の結果、ビデオチャンネルの複製制御情報とオーディオチャンネルの複製制御情報とが相互に同一であると判定されたとき、当該複製制御情報と上記記録媒体のメディアタイプとの組み合わせに基づいて、上記記録媒体が違法コピーであるかを判定し、上記ビデオチャンネルの重畳信号に含まれる複製制御情報と、上記オーディオチャンネルの重畳信号に含まれる複製制御情報とが相異なっているか、又は上記ビデオチャンネルの重畳信号に含まれる複製制御情報と、上記オーディオチャンネルの重畳信号に含まれる複製制御情報とは相互に同一であるが、上記記録媒体が違法コピーであると判定されたとき、上記再生信号を外部に出力するスイッチをオフとなるように制御する。
【００３５】
再生方法においては、記録媒体から読み出された重畳信号から複数チャンネルの再生信号を生成し、生成した再生信号から複数の著作権情報が検出され、これら著作権情報が相互に同一である場合に各チャンネルの再生信号が出力される。
【００３６】
本発明に係る記録媒体は、上記課題を解決するため、複数のチャンネルを有するコンテンツについての原信号に対して、電子透かし処理により、少なくともビデオチャンネルとオーディオチャンネルのそれぞれに同一の複製制御情報を含む著作権情報を互いに異なる方式で重畳した重畳信号を記録したことを特徴とする。
【００３７】
また、本発明に係る記録媒体は、上記課題を解決するため、複数のチャンネルを有するコンテンツについての原信号に対して、電子透かし処理により、少なくとも２以上のチャンネルに同一のコンテンツであることを示すＩＤ情報を重畳した重畳信号を記録したことを特徴とする。
【００３８】
また、本発明に係る再生装置は、上記課題を解決するため、複数のチャンネルを有するコンテンツについての原信号に対して、電子透かし処理により、少なくとも２以上のチャンネルに同一のコンテンツであることを示すＩＤ情報を重畳した重畳信号が記録された記録媒体から重畳信号を読み出す読出し手段と、読み出した重畳信号から各チャンネルの再生信号を生成する再生手段と、生成した再生信号から各チャンネルのＩＤ情報を検出するＩＤ検出手段と、ＩＤ検出手段の検出したＩＤ情報が２以上のチャンネルについて相互に同一である場合に各チャンネルの再生信号を出力する制御手段とを備える。
【００３９】
再生装置においては、制御手段が、ＩＤ検出手段の検出したＩＤ情報が２以上のチャンネルについて相互に同一である場合に各チャンネルの再生信号を出力する。
【００４０】
また、本発明に係る再生方法は、上記課題を解決するため、複数のチャンネルを有するコンテンツについての原信号に対して、電子透かし処理により、少なくとも２以上のチャンネルに同一のコンテンツであることを示すＩＤ情報を重畳した重畳信号が記録された記録媒体から重畳信号を読み出し、読み出した重畳信号から各チャンネルの再生信号を生成し、生成した再生信号から各チャンネルのＩＤ情報を検出し、検出したＩＤ情報が２以上のチャンネルについて相互に同一である場合に各チャンネルの再生信号を出力する。
【００４１】
再生方法においては、記録媒体から読み出された重畳信号から複数チャンネルの再生信号を生成し、生成した再生信号から複数のＩＤ情報が検出され、これらＩＤ情報が相互に同一である場合に各チャンネルの再生信号が出力される。
【００４２】
本発明に係る信号処理装置は、上記課題を解決するため、複数のチャンネルを有するコンテンツについての原信号に対して、電子透かし処理により、少なくともビデオチャンネルとオーディオチャンネルとのそれぞれに同一の、第１の複製制御情報及び第２の複製制御情報を含む著作権情報を互いに異なる方式で重畳した重畳信号を入力する入力手段と、
入力した上記重畳信号からビデオチャンネルとオーディオチャンネルとの再生信号を生成する再生手段と、上記再生手段により生成された再生信号を外部に出力するためのスイッチと、上記入力手段により入力した上記ビデオチャンネルの重畳信号に含まれる第１の複製制御情報と、上記入力手段により入力したオーディオチャンネルの重畳信号に含まれる第１の複製制御情報とが相互に同一であるかを判定する第１の複製制御情報判定手段と、
上記第１の複製制御情報判定手段によりビデオチャンネルの第１の複製制御情報とオーディオチャンネルの第１の複製制御情報とが相互に同一であると判定されたとき、上記ビデオチャンネルの重畳信号に含まれる第２の複製制御情報と、上記入力手段により入力したオーディオチャンネルの重畳信号に含まれる第２の複製制御情報とが相互に同一であるかを判定する第２の複製制御情報判定手段と、上記第２の複製制御情報判定手段により上記第２の複製制御情報が相互に同一であると判定されたとき、上記第１の複製制御情報と上記第２の複製制御情報との組み合わせから、上記コンテンツが違法コピーであるかを判定する違法コピー判定手段と、上記第１の複製制御情報判定手段によりビデオチャンネルの重畳信号に含まれる第１の複製制御情報と、オーディオチャンネルの重畳信号に含まれる第１の複製制御情報とが相異なっているか、もしくは上記第２の複製制御情報判定手段により上記第２の複製制御情報が相異なっていると判定されたとき、又は上記違法コピー判定手段により上記コンテンツが違法コピーであると判定されたときに上記スイッチをオフとなるように制御する制御手段とを備える。
【００４３】
信号処理装置においては、制御手段が、著作権情報検出手段の検出した著作権情報が２以上のチャンネルについて相互に同一である場合に、各チャンネルの再生信号を出力する。
【００４４】
本発明に係る信号処理方法は、上記課題を解決するため、複数のチャンネルを有するコンテンツについての原信号に対して、電子透かし処理により、少なくともビデオチャンネルとオーディオチャンネルとのそれぞれに同一の、第１の複製制御情報及び第２の複製制御情報を含む著作権情報を互いに異なる方式で重畳した重畳信号を入力し、入力した上記重畳信号からビデオチャンネルとオーディオチャンネルとの再生信号を生成し、上記ビデオチャンネルの重畳信号に含まれる第１の複製制御情報と、上記入力したオーディオチャンネルの重畳信号に含まれる第１の複製制御情報とが相互に同一であるかを判定し、この判定の結果、ビデオチャンネルの第１の複製制御情報とオーディオチャンネルの第１の複製制御情報とが相互に同一であると判定されたとき、上記ビデオチャンネルの重畳信号に含まれる第２の複製制御情報と、上記入力したオーディオチャンネルの重畳信号に含まれる第２の複製制御情報とが相互に同一であるかを判定し、この判定の結果、上記第２の複製制御情報が相互に同一であると判定されたとき、上記第１の複製制御情報と上記第２の複製制御情報との組み合わせから、上記コンテンツが違法コピーであるかを判定し、上記ビデオチャンネルの重畳信号に含まれる第１の複製制御情報と、上記オーディオチャンネルの重畳信号に含まれる第１の複製制御情報とが相異なっているか、もしくは上記ビデオチャンネルの重畳信号に含まれる第２の複製制御情報と、上記オーディオチャンネルの重畳信号に含まれる第２の複製制御情報とが相異なっているとき、又は上記コンテンツが違法コピーであると判定されたときに上記再生信号を外部に出力するスイッチをオフとなるように制御する。
【００４５】
信号処理方法においては、入力した重畳信号から複数チャンネルの再生信号を生成し、生成した再生信号から複数の複製制御情報が検出され、これら複製制御情報が相互に同一である場合に各チャンネルの再生信号が出力される。
【００４６】
また、本発明に係る信号処理装置は、上記課題を解決するため、複数のチャンネルを有するコンテンツについての原信号に対して、電子透かし処理により、少なくとも２以上のチャンネルに同一のコンテンツであることを示すＩＤ情報を重畳した重畳信号を入力する入力手段と、入力した重畳信号から各チャンネルの再生信号を生成する再生手段と、生成した再生信号からＩＤ情報を検出するＩＤ検出手段と、ＩＤ検出手段の検出したＩＤ情報が２以上のチャンネルについて相互に同一である場合に各チャンネルの再生信号を出力する制御手段とを備える。
【００４７】
信号処理装置においては、制御手段が、ＩＤ検出手段の検出したＩＤ情報が２以上のチャンネルについて相互に同一である場合に、各チャンネルの再生信号を出力する。
【００４８】
さらに、本発明に係る信号処理方法は、上記課題を解決するため、複数のチャンネルを有するコンテンツについての原信号に対して、電子透かし処理により、少なくとも２以上のチャンネルに同一のコンテンツであることを示すＩＤ情報を重畳した重畳信号を入力し、入力した重畳信号から各チャンネルの再生信号を生成し、生成した重畳信号からＩＤ情報を検出し、検出したＩＤ情報が２以上のチャンネルについて相互に同一である場合に入力した重畳信号を出力する。
【００４９】
信号処理方法においては、入力した重畳信号から複数チャンネルの再生信号を生成し、生成した再生信号から複数のＩＤ情報が検出され、これらＩＤ情報が相互に同一である場合に各チャンネルの再生信号が出力される。
【００５０】
【発明の実施の形態】
本発明の実施の形態につき図面を参照しながら詳細に説明する。図１に示すＤＶＤ再生装置１０は、ウォーターマークを用いて違法コピーによるＤＶＤの再生制限を行うものであり、ＤＶＤ１に記録された信号を読み出すＤＶＤドライバ２と、ＤＶＤドライバ２から読み出された信号について再生処理を行う再生処理回路３とが専用のケーブルあるいはバスで接続されて構成される。
【００５１】
ＤＶＤ１には、そのデータ領域に、動画や静止画についてのビデオ信号と音楽や音声等についてのオーディオ信号がＭＰＥＧ（moving picture coding experts group）方式で圧縮されたＭＰＥＧデータとして記録されている。そして、このＤＶＤ１では、上記ビデオ信号及びオーディオ信号のそれぞれについて、上記表１に示したコピー世代情報としてのウォーターマークについての情報が電子透かし処理により重畳されている。
【００５２】
ＤＶＤ１では、上記ビデオ信号とオーディオ信号のそれぞれについて、同一のウォーターマークについての情報が重畳されている。すなわち、ビデオ信号に「ｏｎｅ−ｃｏｐｙ」についてのウォーターマークが重畳されている場合には、オーディオ信号にも「ｏｎｅ−ｃｏｐｙ」についてのウォーターマークが重畳されていることになる。
【００５３】
なお、ビデオ信号とオーディオ信号のそれぞれについて、同一のウォーターマークについての情報を重畳する場合、互いに異なる方式で重畳するようにする。このようにすることで、ＤＶＤ１からの再生信号に改変を加えるいわゆる海賊行為に対しても、ビデオとオーディオの２種類のウォーターマークの攻略法を考え出さなければならないので、ビデオ信号のみにウォーターマークについての情報を重畳した従来のＤＶＤ１０１と比較して、改変行為に対する強度が格段に向上する。
【００５４】
さらに、ＤＶＤ１には、サブコード情報としてメディアタイプ情報と上述したＣＧＭＳ−Ｄ信号が記録されている。ここで、メディアタイプ情報とは、当該ディスクが読み出し専用のＲＯＭディスクか、あるいは記録可能なＲＡＭディスクかについて示す情報である。また、ＣＧＭＳ−Ｄ信号は、上記ＭＰＥＧデータ中に挿入されており、ビデオ信号及びオーディオ信号の双方から検出できるようになっている。
【００５５】
ＤＶＤドライバ２は、図示しない光ピックアップ等を備えてなり、ＤＶＤ１から上述したＭＰＥＧデータ及びメディアタイプ情報をビットストリーム信号として読み出して、再生処理回路３に供給する。このビットストリーム信号は、上記ＭＰＥＧデータ及びメディアタイプ情報がＣＳＳ（Contents Scramble System）によるスクランブルをかけられた状態で再生処理回路３に伝送される。
【００５６】
ここで、再生処理回路３は、ＣＳＳデコーダ４と、ＭＰＥＧデコーダ５と、メディアタイプデコーダ６と、ビデオ信号についてのウォーターマーク（ＷＭ）検出／リエンコード部７と、オーディオ信号についてのＷＭ検出／リエンコード部８と、出力制御部９と、スイッチ１１，１２等が備えられており、これら各ブロックがいわゆるＰＣカード等に内蔵されて構成される。
【００５７】
そして、ビットストリーム信号が入力された再生処理回路３では、ＣＳＳデコーダ４が暗号鍵を用いて所定の認証処理を行う。ここで、正しく認証されなかった場合には、上記ＣＳＳのスクランブルが解読されず、これ以降の再生処理が行われないことになる。そして、ＣＳＳデコーダ４は、暗号鍵を用いた上記認証が正しく行われた場合には、ＣＳＳのスクランブルをデコードし、上記ＭＰＥＧデータ，メディアタイプ情報を取り出して、それぞれＭＰＥＧデコーダ５，メディアタイプデコーダ６に供給する。
【００５８】
ＭＰＥＧデコーダ５は、入力したＭＰＥＧデータをデコードして、ウォーターマークが重畳されたビデオデータ（以下、重畳ビデオデータという。）とウォーターマークが重畳されたオーディオデータ（以下、重畳オーディオデータという。）とに分離する。ＭＰＥＧデコーダ５は、重畳ビデオデータについてはＷＭ検出／リエンコード部７に出力し、重畳オーディオデータについてはＷＭ検出／リエンコード部８に出力する。
【００５９】
ＷＭ検出／リエンコード部７は、この重畳ビデオデータからウォーターマークを検出し、上述した「ｎｏｎ−ｍａｒｋｅｄ」、「ｃｏｐｙ−ｆｒｅｅ」、「ｎｅｖｅｒ−ｃｏｐｙ」、「ｎｏ−ｍｏｒｅ−ｃｏｐｙ」、及び「ｏｎｅ−ｃｏｐｙ」のいずれであるかについての情報を出力制御部９に出力する。また、ＷＭ検出／リエンコード部７は、上述のようにウォーターマークを検出した結果、このウォーターマークが「ｏｎｅ−ｃｏｐｙ」であった場合に、このウォーターマークを「ｎｏ−ｍｏｒｅ−ｃｏｐｙ」とするように上記ビデオデータに対するリエンコード処理を行い、処理後の信号をＤ／Ａ変換してスイッチ１２に供給する。なお、このウォーターマークが「ｏｎｅ−ｃｏｐｙ」以外の場合には、ＷＭ検出／リエンコード部７は、リエンコード処理を行わずに、重畳ビデオデータをＤ／Ａ変換してスイッチ１２に供給する。
【００６０】
ＷＭ検出／リエンコード部８は、上述したＷＭ検出／リエンコード部７と同様の処理を行う。すなわち、ＷＭ検出／リエンコード部８は、重畳オーディオデータからウォーターマークを検出し、上述した「ｎｏｎ−ｍａｒｋｅｄ」、「ｃｏｐｙ−ｆｒｅｅ」、「ｎｅｖｅｒ−ｃｏｐｙ」、「ｎｏ−ｍｏｒｅ−ｃｏｐｙ」、及び「ｏｎｅ−ｃｏｐｙ」のいずれであるかについての情報を出力制御部９に出力する。また、ＷＭ検出／リエンコード部８は、ウォーターマークを検出した結果、このウォーターマークが「ｏｎｅ−ｃｏｐｙ」であった場合に、このウォーターマークを「ｎｏ−ｍｏｒｅ−ｃｏｐｙ」とするように上記オーディオデータに対するリエンコード処理を行い、処理後の信号をＤ／Ａ変換してスイッチ１１に供給する。なお、このウォーターマークが「ｏｎｅ−ｃｏｐｙ」以外の場合には、ＷＭ検出／リエンコード部８は、リエンコード処理を行わずに、重畳オーディオデータをＤ／Ａ変換してスイッチ１１に供給する。
【００６１】
メディアタイプデコーダ６は、上記メディアタイプ情報をデコードし、再生するＤＶＤ１が上記ＲＯＭディスクであるかＲＡＭディスクであるかについての情報を出力制御部９に出力する。
【００６２】
出力制御部９は、メディアタイプデコーダ６、ＷＭ検出／リエンコード部７、及びＷＭ検出／リエンコード部８から入力される各情報に基づいて、スイッチ１１，１２のＯＮ／ＯＦＦを制御する。具体的には、出力制御部９は、メディアタイプデコーダ６、ＷＭ検出／リエンコード部７、及びＷＭ検出／リエンコード部８からの各情報に基づき、ＤＶＤ１のメディアタイプが「ＲＯＭディスク」でウォーターマークが「ｎｏ−ｍｏｒｅ−ｃｏｐｙ」の場合、またはこのメディアタイプが「ＲＡＭディスク」でウォーターマークが「ｎｅｖｅｒ−ｃｏｐｙ」という表２に示した組み合わせの場合に、違法コピーとみなして各スイッチ１１，１２をＯＦＦにするよう制御して、重畳オーディオ信号及び重畳ビデオ信号を出力しないようにする。
【００６３】
また、出力制御部９は、ＷＭ検出／リエンコード部７、及びＷＭ検出／リエンコード部８からの各情報に基づき、検出されたウォーターマークが相互に異なる場合には、違法コピーとみなして各スイッチ１１，１２をＯＦＦにするよう制御し、オーディオ信号及び重畳ビデオ信号を出力しないようにする。例えば、ビデオについてのウォーターマークが「ｎｏｎ−ｍａｒｋｅｄ」でオーディオについてのウォーターマークが「ｎｏ−ｍｏｒｅ−ｃｏｐｙ」の場合などが該当し、この場合には、ビデオのウォーターマークについて改変行為があったものと認められるからである。
【００６４】
そして、出力制御部９は、ＷＭ検出／リエンコード部７及びＷＭ検出／リエンコード部８からの各情報に基づき、ＤＶＤ１のメディアタイプとウォーターマークとが表２に示した組み合わせに該当せず、かつ検出されたウォーターマークが相互に同じである場合に限り、各スイッチ１１，１２をＯＮにするよう制御して、重畳オーディオ信号及び重畳ビデオ信号を外部に出力する。
【００６５】
このように、再生処理回路３においては、表２に示したいわゆる海賊版についての判定に加えて、「ビデオとオーディオのウォーターマークが一致するか？」という判定項目が追加されており、オーディオ、ビデオのウォーターマークのそれぞれが表１に示す様な合法的な組み合わせであっても、それぞれのウォーターマークが異なる場合には、再生制限が働き、オーディオ及びビデオのそれぞれの信号が出力されないので、違法行為に対する再生制限の強化が図れる。
【００６６】
なお、上述の例では、ＤＶＤ１について、上記表１に示したコピー世代情報としてのウォーターマークについての情報を電子透かし処理により上記ビデオ信号及びオーディオ信号のそれぞれについて重畳することとしたが、このウォーターマークについての情報に加えて、同一コンテンツであることを示すＩＤ情報を電子透かし処理により重畳することとしてもよい。
【００６７】
すなわち、ＤＶＤ１について、上記ＩＤ情報を電子透かし処理により上記ビデオ信号及びオーディオ信号のそれぞれについて重畳することにより、再生処理回路３において、さらに、「ビデオとオーディオのＩＤ情報が一致するか？」という判定項目が追加されるので、より確実な再生制限が可能となる。
【００６８】
さらには、ＤＶＤ１のオーディオ信号が５−１ステレオ等のマルチチャンネルを有する場合には、その各チャンネルについて上記コピー世代情報としてのウォーターマークについての情報及び／又は上記ＩＤ情報を電子透かし処理により重畳することとしてもよい。この場合には、ＷＭ検出／リエンコード部８は、各チャンネル毎に上述したウォーターマークの検出等の処理を行うようにすれば良い。
【００６９】
本発明の他の実施の形態につき図２を参照して説明する。なお、図１と同一の部分には同一の符号を付している。図２に示すＤＶＤ再生装置２０は、上述したＤＶＤ再生装置１０と同様にウォーターマークを用いて違法コピーによるＤＶＤディスクの再生制限を行うものであり、ＤＶＤ１に記録された信号を読み出すＤＶＤドライバ２と、ＤＶＤドライバ２から読み出された信号について再生処理を行う再生処理回路３Ａとが専用のケーブルあるいはバスで接続されて構成される。
【００７０】
ここで、ＤＶＤ１、ＤＶＤドライバ２については、図１に示したＤＶＤ１、ＤＶＤドライバ２と同一のものであり、その説明を省略する。
【００７１】
再生処理回路３Ａは、ＣＳＳデコーダ４と、ＭＰＥＧデコーダ５と、メディアタイプデコーダ６と、ビデオ信号についてのＷＭ検出／リエンコード部７と、オーディオ信号についてのＷＭ検出／リエンコード部８と、ビデオ信号についてのＣＧＭＳ−Ｄデコーダ１３と、オーディオ信号についてのＣＧＭＳ−Ｄデコーダ１４と、出力制御部１５と、スイッチ１１，１２が備えられており、これら各ブロックがいわゆるＰＣカード等に内蔵されて構成される。
【００７２】
ＣＳＳデコーダ４、メディアタイプデコーダ６、ＷＭ検出／リエンコード部７、及びＷＭ検出／リエンコード部８については、図１に示したものと同一であるため、その説明を省略する。
【００７３】
ＭＰＥＧデコーダ５は、入力したＭＰＥＧデータをデコードして、重畳ビデオデータと重畳オーディオデータとに分離する。このＭＰＥＧデコーダ５は、重畳ビデオデータについてはＷＭ検出／リエンコード部７及びＣＧＭＳ−Ｄデコーダ１３に出力し、重畳オーディオデータについてはＷＭ検出／リエンコード部８及びＣＧＭＳ−Ｄデコーダ１４に出力する。
【００７４】
ＣＧＭＳ−Ｄデコーダ１３は、入力した重畳ビデオデータからＣＧＭＳ−Ｄについての情報をデコードし、上述した（０，０）、（１，１）、（１，０）のいずれであるかについての情報を出力制御部１５に供給する。同様に、ＣＧＭＳ−Ｄデコーダ１４も、入力した重畳オーディオデータからＣＧＭＳ−Ｄについての情報をデコードし、上述した（０，０）、（１，１）、（１，０）のいずれであるかについての情報を出力制御部１５に供給する。
【００７５】
出力制御部１５は、メディアタイプデコーダ６、ＷＭ検出／リエンコード部７、ＷＭ検出／リエンコード部８、ＣＧＭＳ−Ｄデコーダ１３、及びＣＧＭＳ−Ｄデコーダ１４から入力される各情報に基づいて、スイッチ１１，１２のＯＮ／ＯＦＦを制御する。具体的には、出力制御部９は、メディアタイプデコーダ６、ＷＭ検出／リエンコード部７、及びＷＭ検出／リエンコード部８からの各情報に基づき、ＤＶＤ１のメディアタイプが「ＲＯＭディスク」でウォーターマークが「ｎｏ−ｍｏｒｅ−ｃｏｐｙ」の場合、またはこのメディアタイプが「ＲＡＭディスク」でウォーターマークが「ｎｅｖｅｒ−ｃｏｐｙ」という表２に示した組み合わせの場合に、違法コピーとみなして各スイッチ１１，１２をＯＦＦにするよう制御して、重畳オーディオ信号及び重畳ビデオ信号を出力しないようにする。
【００７６】
また、出力制御部１５は、ＷＭ検出／リエンコード部７及びＷＭ検出／リエンコード部８からの各情報に基づき、検出されたウォーターマークが相互に異なる場合、例えばビデオについてのウォーターマークが「ｎｏｎ−ｍａｒｋｅｄ」でオーディオについてのウォーターマークが「ｎｏ−ｍｏｒｅ−ｃｏｐｙ」の場合には、違法コピーとみなして各スイッチ１１，１２をＯＦＦにするよう制御して、重畳オーディオ信号及び重畳ビデオ信号を出力しないようにする。
【００７７】
さらに、出力制御部１５は、ＣＧＭＳ−Ｄデコーダ１３、及びＣＧＭＳ−Ｄデコーダ１４からの各情報に基づき、ビデオについてのＣＧＭＳ−ＤとオーディオについてのＣＧＭＳ−Ｄとが相互に異なる場合には、違法コピーとみなして各スイッチ１１，１２をＯＦＦにするよう制御して、重畳オーディオ信号及び重畳ビデオ信号を出力しないようにする。
【００７８】
さらにまた、出力制御部１５は、ＷＭ検出／リエンコード部７，８、ＣＧＭＳ−Ｄデコーダ１３，１４からの各情報に基づき、ＣＧＭＳ−Ｄとウォーターマークとの対応関係を照合し、この両者の整合性がない場合、例えばＣＧＭＳ−Ｄが（０，０）でウォーターマークが「ｏｎｅ−ｃｏｐｙ」のような場合には、違法コピーとみなして各スイッチ１１，１２をＯＦＦにするよう制御して、重畳オーディオ信号及び重畳ビデオ信号を出力しないようにする。
【００７９】
そして、出力制御部１５は、上述の各処理により、ＤＶＤ１のメディアタイプとウォーターマークとが表２に示した組み合わせに該当せず、ウォーターマークが相互に同じで、かつＣＧＭＳ−Ｄも相互に同じであり、さらにはウォーターマークとＣＧＭＳ−Ｄとの整合性がある場合に限り、各スイッチ１１，１２をＯＮにするよう制御して、重畳オーディオ信号及び重畳ビデオ信号を外部に出力する。
【００８０】
このように、再生処理回路３Ａにおいては、図１に示した再生処理回路３による判定項目に加えて、「ＣＧＭＳ−Ｄが相互に一致するか？」、「ウォーターマークとＣＧＭＳ−Ｄとの整合性があるか？」という判定項目がさらに追加されているので、ＣＧＭＳ−Ｄに対する改変行為も検出することができるとともに、ウォーターマークやＣＧＭＳ−Ｄに対する改変行為に対して一層強くなる。
【００８１】
なお、この実施の形態においても、ＤＶＤ１について、上記表１に示したコピー世代情報としてのウォーターマークについての情報を電子透かし処理により上記ビデオ信号及びオーディオ信号のそれぞれについて重畳することとしたが、このウォーターマークについての情報に代えて、或いは当該情報に加えて、同一コンテンツであることを示すＩＤ情報を電子透かし処理により重畳することとしてもよい。
【００８２】
さらには、ＤＶＤ１のオーディオ信号が５−１ステレオ等のマルチチャンネルを有する場合には、その各チャンネルについて上記コピー世代情報としてのウォーターマークについての情報及び／又は上記ＩＤ情報を電子透かし処理により重畳し、又その各チャンネルについて上記ＣＧＭＳ−Ｄについての情報を挿入してもよい。この場合には、ＷＭ検出／リエンコード部８が各チャンネル毎に上述したウォーターマークの検出等の処理を行い、ＣＧＭＳ−Ｄデコーダ１４が各チャンネル毎に上述したＣＧＭＳ−Ｄについてのデコードを行えば良い。
【００８３】
上述した各実施の形態は、記録媒体としてＤＶＤを用いたが、本発明はこれに限定されるものではなく、ＣＤ（Compact Disc）、ＭＤ（Mini Disc）などの他の種類の光ディスクや光磁気ディスクを用いてもよいことは勿論である。
【００８４】
また、上述した各実施の形態では、ＤＶＤの再生装置について説明したが、本発明はＤＶＤの記録時の記録制限にも適用することができる。以下、本発明を適用した記録装置の実施の形態について説明する。
【００８５】
図３に示す記録装置３０は、ＷＭ検出／リエンコード部７，８と、スイッチ１１，１２と、出力制御部３１と、記録部３２とを備えている。また、記録装置３０は、ＤＶＤ１を再生して重畳ビデオデータと重畳オーディオデータとを出力する光ディスク再生装置１２０と接続されている。
【００８６】
ＷＭ検出／リエンコード部７は、光ディスク再生装置１２０から入力される重畳ビデオデータからウォーターマークを検出し、上述した「ｎｏｎ−ｍａｒｋｅｄ」、「ｃｏｐｙ−ｆｒｅｅ」、「ｎｅｖｅｒ−ｃｏｐｙ」、「ｎｏ−ｍｏｒｅ−ｃｏｐｙ」、及び「ｏｎｅ−ｃｏｐｙ」のいずれであるかについての情報を出力制御部３１に出力する。また、ＷＭ検出／リエンコード部７は、上述のようにウォーターマークを検出した結果、このウォーターマークが「ｏｎｅ−ｃｏｐｙ」であった場合に、このウォーターマークを「ｎｏ−ｍｏｒｅ−ｃｏｐｙ」とするように上記ビデオデータに対するリエンコード処理を行い、処理後の信号をＤ／Ａ変換してスイッチ１２に供給する。なお、このウォーターマークが「ｏｎｅ−ｃｏｐｙ」以外の場合には、ＷＭ検出／リエンコード部７は、リエンコード処理を行わずに、重畳ビデオデータをＤ／Ａ変換してスイッチ１２に供給する。
【００８７】
ＷＭ検出／リエンコード部８は、上述したＷＭ検出／リエンコード部７と同様の処理を行う。すなわち、ＷＭ検出／リエンコード部８は、光ディスク再生装置１２０から入力される重畳オーディオデータからウォーターマークを検出し、上述した「ｎｏｎ−ｍａｒｋｅｄ」、「ｃｏｐｙ−ｆｒｅｅ」、「ｎｅｖｅｒ−ｃｏｐｙ」、「ｎｏ−ｍｏｒｅ−ｃｏｐｙ」、及び「ｏｎｅ−ｃｏｐｙ」のいずれであるかについての情報を出力制御部３１に出力する。また、ＷＭ検出／リエンコード部８は、ウォーターマークを検出した結果、このウォーターマークが「ｏｎｅ−ｃｏｐｙ」であった場合に、このウォーターマークを「ｎｏ−ｍｏｒｅ−ｃｏｐｙ」とするように上記オーディオデータに対するリエンコード処理を行い、処理後の信号をＤ／Ａ変換してスイッチ１１に供給する。なお、このウォーターマークが「ｏｎｅ−ｃｏｐｙ」以外の場合には、ＷＭ検出／リエンコード部８は、リエンコード処理を行わずに、重畳オーディオデータをＤ／Ａ変換してスイッチ１１に供給する。
【００８８】
出力制御部３１は、ＷＭ検出／リエンコード部７及びＷＭ検出／リエンコード部８から入力される各情報に基づいて、スイッチ１１，１２のＯＮ／ＯＦＦを制御する。具体的には、出力制御部３１は、ＷＭ検出／リエンコード部７及びＷＭ検出／リエンコード部８からの各情報に基づき、ウォーターマークが相互に一致するか否かを判定し、一致しない場合には違法コピーとみなして各スイッチ１１，１２をＯＦＦにするよう制御して、重畳オーディオ信号及び重畳ビデオ信号を記録部３２に出力しないようにする。ウォーターマークが相互に一致する場合には、出力制御部３１は、当該ウォーターマークの種類が「ｎｅｖｅｒ−ｃｏｐｙ」、「ｎｏ−ｍｏｒｅ−ｃｏｐｙ」の場合にスイッチ１１，１２をＯＦＦにするよう制御して、重畳オーディオ信号及び重畳ビデオ信号を記録部３２に出力しないようにする。
【００８９】
そして、出力制御部３１は、当該ウォーターマークの種類が「ｎｏｎ−ｍａｒｋｅｄ」、「ｃｏｐｙ−ｆｒｅｅ」、または「ｏｎｅ−ｃｏｐｙ」の場合に各スイッチ１１，１２をＯＮにするよう制御する。これにより、重畳オーディオ信号及び重畳ビデオ信号が記録部３２に供給される。
【００９０】
記録部３２は、スイッチ１１，１２を介して供給されるＷＭ検出／リエンコード部７，８からの出力信号に所定の信号処理を行って、ＲＡＭタイプの光ディスクに対して処理後の信号を記録する。
【００９１】
このような構成とすることにより、記録装置３０は、入力信号に基づいてウォーターマークの同一性についての判定を行うことにより、記録制限を行うことができる。
【００９２】
【発明の効果】
以上詳細に説明したように、本発明に係る再生装置によれば、制御手段が、複製制御情報判定手段によりビデオチャンネルの重畳信号に含まれる複製制御情報と、オーディオチャンネルの重畳信号に含まれる複製制御情報とが相異なっているか、又は上記違法コピー判定手段により上記記録媒体が違法コピーであると判定されたとき、上記スイッチをオフとなるように制御するので、記録媒体が不正コピーによるものであるか否かについての検出を容易に行うことができる。また、再生装置によれば、読出し手段からの信号について改変行為を行おうとする者は、ビデオチャンネルとオーディオチャンネルとについての複製制御情報を改変しなければならないことから、このような改変行為に対して強くなる。
【００９３】
本発明に係る再生方法によれば、少なくともビデオチャンネルとオーディオチャンネルとのそれぞれに同一の複製制御情報を含む著作権情報を互いに異なる方式で重畳した重畳信号が記録された記録媒体から読み出された重畳信号からビデオチャンネルとオーディオチャンネルとの再生信号を生成し、ビデオチャンネルの重畳信号に含まれる複製制御情報と、読み出されたオーディオチャンネルの重畳信号に含まれる複製制御情報とが相互に同一であるかを判定し、判定の結果、ビデオチャンネルの複製制御情報とオーディオチャンネルの複製制御情報とが相互に同一であると判定されたとき、当該複製制御情報と上記記録媒体のメディアタイプとの組み合わせに基づいて、記録媒体が違法コピーであるかを判定し、ビデオチャンネルの重畳信号に含まれる複製制御情報と、オーディオチャンネルの重畳信号に含まれる複製制御情報とが相異なっているか、又はビデオチャンネルの重畳信号に含まれる複製制御情報と、オーディオチャンネルの重畳信号に含まれる複製制御情報とは相互に同一であるが、記録媒体が違法コピーであると判定されたとき、再生信号を外部に出力するスイッチをオフとなるように制御するので、記録媒体が不正コピーによるものであるか否かについての検出を容易に行うことができる。また、再生方法によれば、コンテンツについての信号について改変行為を行おうとする者は、ビデオチャンネルとオーディオチャンネルとについての複製制御情報を改変しなければならないことから、このような改変行為に対して強くなる。
【００９４】
本発明に係る記録媒体は、複数のチャンネルを有するコンテンツについての原信号に対して、電子透かし処理により、少なくともビデオチャンネルとオーディオチャンネルのそれぞれに同一の複製制御情報を含む著作権情報を互いに異なる方式で重畳した重畳信号が記録されているので、コンテンツの再生に際してこの著作権情報の同一性を判定することにより、不正コピーされたものであるかを容易に検出することができる。また、この記録媒体の再生信号についての改変行為を行おうとする者は、ビデオチャンネルとオーディオチャンネルのそれぞれについての著作権情報を改変しなければならないことから、記録媒体によれば、このような改変に対して強くなる。
【００９５】
本発明に係る記録媒体は、複数のチャンネルを有するコンテンツについての原信号に対して、電子透かし処理により、少なくとも２以上のチャンネルに同一のコンテンツであることを示すＩＤ情報を重畳した信号が記録されているので、コンテンツ再生に際してこのＩＤ情報の同一性を判定することにより、不正コピーされたものであるかを容易に検出することができる。また、この記録媒体の再生信号についての改変行為を行おうとする者は複数のチャンネルについてのＩＤ情報を改変しなければならないことから、記録媒体によれば、このような改変行為に対して強くなる。
【００９６】
本発明に係る再生装置によれば、制御手段が、ＩＤ検出手段の検出したＩＤ情報が２以上のチャンネルについて相互に同一である場合に各チャンネルの再生信号を出力するので、記録媒体が不正コピーによるものであるか否かについての検出を容易に行うことができる。また、再生装置によれば、読出し手段からの信号について改変行為を行おうとする者は複数のチャンネルについてのＩＤ情報を改変しなければならないことから、このような改変行為に対して強くなる。
【００９７】
本発明に係る再生方法によれば、記録媒体から読み出された重畳信号から複数チャンネルの再生信号を生成し、生成した再生信号から複数のＩＤ情報が検出され、これらＩＤ情報が相互に同一である場合に各チャンネルの再生信号が出力されるので、記録媒体が不正コピーによるものであるか否かについての検出を容易に行うことができる。また、再生方法によれば、コンテンツについての信号について改変行為を行おうとする者は複数のチャンネルについてのＩＤ情報を改変しなければならないことから、このような改変行為に対して強くなる。
【００９８】
本発明に係る信号処理装置によれば、制御手段が、第１の複製制御情報判定手段によりビデオチャンネルの重畳信号に含まれる第１の複製制御情報と、オーディオチャンネルの重畳信号に含まれる第１の複製制御情報とが相異なっているか、もしくは第２の複製制御情報判定手段により第２の複製制御情報が相異なっていると判定されたとき、又は違法コピー判定手段によりコンテンツが違法コピーであると判定されたときにスイッチをオフとなるように制御するので、重畳信号について改変を行おうとする者はビデオチャンネルとオーディオチャンネルのそれぞれについての複製制御情報を改変しなければならないことから、このような改変に対して強くなる。
【００９９】
本発明に係る信号処理方法によれば、入力した上記重畳信号からビデオチャンネルとオーディオチャンネルとの再生信号を生成し、ビデオチャンネルの重畳信号に含まれる第１の複製制御情報と、入力したオーディオチャンネルの重畳信号に含まれる第１の複製制御情報とが相互に同一であるかを判定し、この判定の結果、ビデオチャンネルの第１の複製制御情報とオーディオチャンネルの第１の複製制御情報とが相互に同一であると判定されたとき、ビデオチャンネルの重畳信号に含まれる第２の複製制御情報と、入力したオーディオチャンネルの重畳信号に含まれる第２の複製制御情報とが相互に同一であるかを判定し、この判定の結果、第２の複製制御情報が相互に同一であると判定されたとき、第１の複製制御情報と第２の複製制御情報との組み合わせから、コンテンツが違法コピーであるかを判定し、ビデオチャンネルの重畳信号に含まれる第１の複製制御情報と、オーディオチャンネルの重畳信号に含まれる第１の複製制御情報とが相異なっているか、もしくはビデオチャンネルの重畳信号に含まれる第２の複製制御情報と、オーディオチャンネルの重畳信号に含まれる第２の複製制御情報とが相異なっているとき、又はコンテンツが違法コピーであると判定されたときに再生信号を外部に出力するスイッチをオフとなるように制御するので、重畳信号について改変を行おうとする者はビデオチャンネルとオーディオチャンネルのそれぞれについての複製制御情報を改変しなければならないことから、このような改変に対して強くなる。
【０１００】
また、本発明に係る信号処理装置によれば、制御手段が、ＩＤ検出手段の検出したＩＤ情報が２以上のチャンネルについて相互に同一である場合に、各チャンネルの再生信号を出力するので、重畳信号について改変行為を行おうとする者は複数のチャンネルについてのＩＤ情報を改変しなければならないことから、このような改変行為に対して強くなる。
【０１０１】
本発明に係る信号処理方法によれば、入力した重畳信号から複数チャンネルの再生信号を生成し、生成した再生信号から複数のＩＤ情報が検出され、これらＩＤ情報が相互に同一である場合に各チャンネルの再生信号が出力されるので、重畳信号について改変行為を行おうとする者は複数のチャンネルについてのＩＤ情報を改変しなければならないことから、このような改変行為に対して強くなる。
【図面の簡単な説明】
【図１】ＤＶＤ再生装置の構成を示すブロック図である。
【図２】ＤＶＤ再生装置の他の構成を示すブロック図である。
【図３】記録装置の一構成例を示すブロック図である。
【図４】パーソナルコンピュータのシステムにおいてＤＶＤを再生する場合における再生制限を説明するためのブロック図である。
【符号の説明】
１０，２０  ＤＶＤ再生装置、１  ＤＶＤ、２  ＤＶＤドライバ、３，３Ａ  再生処理回路、４  ＣＳＳデコーダ、５  ＭＰＥＧデコーダ、６  メディアタイプデコーダ、７，８  ＷＭ検出／リエンコード部、９，１５  出力制御部、１１，１２  スイッチ、１３，１４  ＣＧＭＳ−Ｄデコーダ、３０  記録装置
【図１】
0004038851.tif 000004
【図２】
0004038851.tif 000005
【図３】
0004038851.tif 000006
【図４】
0004038851.tif 000007